(57)【要約】【課題】リニューアルに際し、既設のものよりも落下しにくくして耐震性を増すことのできるとともに、新設本体枠と既設本体枠とを連結する連結部材との間の隙間をなくして隙間分の落下による衝撃を防止し、かつ、隙間をなくすための高さ調整が容易な乗客コンベアの提供。【解決手段】建屋梁１１に対する新設受梁６ａの掛かり代Ｌ２は、建屋梁１１に対する既設受梁２ａの掛かり代Ｌ１よりも大きく設定されており、新設本体枠５と既設本体枠１とを連結し、既設受梁２ａが建屋梁１１から外れた場合に既設本体枠１の落下を防止する連結部材１６を有し、既設受梁２ａが建屋梁１１に掛けられた状態において、連結部材１６は、既設本体枠１と新設本体枠５とのうちの一方に固定されているとともに、他方には連結部材１６に設けられた高さ調整部品１７を介して隙間なく当接している。【選択図】  図４
2015182856.tif 000002
【特許請求の範囲】
【請求項１】
既設の乗客コンベアの本体枠であって長手方向端部に建屋梁に掛けられる既設受梁が設けられた既設本体枠と、前記既設本体枠の内部に配置された新設の乗客コンベアの本体枠であって長手方向端部に前記建屋梁に掛けられる新設受梁が設けられた新設本体枠とを有する乗客コンベアにおいて、
前記建屋梁に対する前記新設受梁の掛かり代は、前記建屋梁に対する前記既設受梁の掛かり代よりも大きく設定されており、
前記新設本体枠と前記既設本体枠とを連結し、前記既設受梁が前記建屋梁から外れた場合に前記既設本体枠の落下を防止する連結部材を有し、
前記既設受梁が前記建屋梁に掛けられた状態において、前記連結部材は、前記既設本体枠と前記新設本体枠とのうちの一方に固定されているとともに、他方には前記連結部材に設けられた高さ調整部品を介して隙間なく当接していることを特徴する乗客コンベア。
【請求項２】
前記連結部材は、前記新設本体枠に固定されているとともに、前記高さ調整部品は、前記既設本体枠に対して下方から当接することを特徴する請求項１に記載の乗客コンベア。
【請求項３】
前記連結部材は、前記既設本体枠に固定されているとともに、前記高さ調整部品は、前記新設本体枠に対して上方から当接することを特徴する請求項１に記載の乗客コンベア。
【請求項４】
前記既設本体枠と前記新設本体枠とのうちの他方と、前記高さ調整部品との間は、水平方向に相対変位可能に当接していることを特徴する請求項１から３の何れかに記載の乗客コンベア。
【請求項５】
前記高さ調整部品は、ジャッキボルトであることを特徴する請求項１から４の何れかに記載の乗客コンベア。
【発明の詳細な説明】
【技術分野】
【０００１】
本発明は、乗客コンベアに関する。
【背景技術】
【０００２】
エスカレータや動く歩道などに代表される乗客コンベアにあって、老朽化した既設の乗客コンベアを撤去し、同じ場所に新設の乗客コンベアを設置することで乗客コンベアのリニューアルが行われることがある。このようなリニューアルを行う際、既設の乗客コンベアの本体枠、すなわち既設本体枠を撤去せずに残し、既設本体枠内に新設の乗客コンベアの新設本体枠を配置する工法として、例えば特開２０１３−６７４６１号公報（特許文献１）や、国際出願ＰＣＴ／ＪＰ２０１３／０７４４５９号（特許文献２）に記載されたものがある。
【先行技術文献】
【特許文献】
【０００３】
【特許文献１】特開２０１３−６７４６１号公報
【特許文献２】国際出願ＰＣＴ／ＪＰ２０１３／０７４４５９号
【発明の概要】
【発明が解決しようとする課題】
【０００４】
しかしながら、前述した特許文献１に記載のものでは、この文献の図２に示すように、新設本体枠の長手方向端部に設けられる新設受梁は、建屋梁に乗せられた既設本体枠の既設受梁の上部にさらに乗せられた状態で固定されており、建屋梁に対する新設受梁の掛かり代は、建屋梁に対する既設受梁の掛かり代と同じに設定されている。
【０００５】
ここで、近年、地震動や各種振動により建築構造体内において発生する層間変位に対応するための耐震性の要求が高くなっている。既設本体枠内に新設本体枠を単に設置した場合、新設本体枠の耐震性は既設本体枠の耐震性を反映するのみであることから、現在の要求を満たすことができないという課題がある。特に、層間変位等により建屋梁間の距離が広がった場合に、本体枠が建屋梁から脱落することを防ぐ点で高い基準が求められるようになっている。
【０００６】
したがって、特許文献１に記載のものでは、建屋梁間の距離が広がって既設本体枠が落下した場合、新設本体枠も一緒に落下してしまうという問題がある。
【０００７】
そこで、出願人は、特許文献２において、建屋梁に対する新設受梁の掛かり代を建屋梁に対する既設受梁の掛かり代よりも大きく設定するとともに、新設本体枠と既設本体枠とを連結し既設受梁が建屋梁から外れた場合に既設本体枠の落下を防止する連結部材を設ける技術を出願している。
【０００８】
しかしながら、特許文献２の場合、既設本体枠、新設本体枠、連結部材の寸法精度や組み立て精度の問題から、新設本体枠または既設本体枠と連結部材との間に隙間ができてしまう可能性があり、この隙間をなくすことは困難である。また、この隙間がある場合には、既設受梁が建屋梁から外れた場合に、隙間分の落下による衝撃が発生するという問題がある。
【０００９】
本発明は、前述した従来技術における実状からなされたもので、その目的は、リニューアルに際し、既設のものよりも落下しにくくして耐震性を増すことのできるとともに、新設本体枠と既設本体枠とを連結する連結部材との間の隙間をなくして隙間分の落下による衝撃を防止し、かつ、隙間をなくすための高さ調整が容易な乗客コンベアを提供することにある。
【課題を解決するための手段】
【００１０】
前記目的を達成するために、本発明は、例えば、既設の乗客コンベアの本体枠であって長手方向端部に建屋梁に掛けられる既設受梁が設けられた既設本体枠と、前記既設本体枠の内部に配置された新設の乗客コンベアの本体枠であって長手方向端部に前記建屋梁に掛けられる新設受梁が設けられた新設本体枠とを有する乗客コンベアにおいて、前記建屋梁に対する前記新設受梁の掛かり代は、前記建屋梁に対する前記既設受梁の掛かり代よりも大きく設定されており、前記新設本体枠と前記既設本体枠とを連結し、前記既設受梁が前記建屋梁から外れた場合に前記既設本体枠の落下を防止する連結部材を有し、前記既設受梁が前記建屋梁に掛けられた状態において、前記連結部材は、前記既設本体枠と前記新設本体枠とのうちの一方に固定されているとともに、他方には前記連結部材に設けられた高さ調整部品を介して隙間なく当接していることを特徴する。
【発明の効果】
【００１１】
本発明によれば、新設受梁の掛かり代が既設受梁の掛かり代よりも大きいため既設のものよりも新設本体枠が落下しにくくなるとともに、既設受梁のみが建屋梁から外れた場合でも、連結部材によって既設本体枠の落下を防止することができ、かつ、新設本体枠または既設本体枠と連結部材との間は高さ調整部品を介して隙間なく当接しているので、隙間をなくすための高さ調整が容易にできるとともに既設受梁が建屋梁から外れた場合でも隙間分の落下による衝撃が発生するのを防止することができる。
【図面の簡単な説明】
【００１２】
【図１】本発明に係る乗客コンベアの一実施例を示す全体構成図である。
【図２】図１のＡ−Ａ線に沿う断面図である。
【図３】本実施例における受梁部分の要部拡大図である。
【図４】本実施例における連結部材の一例である。
【図５】本実施例における連結部材の他の例である。
【発明を実施するための形態】
【００１３】
本発明の実施例を、図面を参照しながら説明する。尚、各図において、同一又は類似の構成要素には同じ符号を付し、説明を省略する。
【００１４】
図１は、本発明に係る乗客コンベアの一実施例を示す全体構成図である。図２は、図１のＡ−Ａ線に沿う断面図である。本実施例の乗客コンベアは、例えばエスカレータであり、図１に示すように、リニューアルのために既設のエスカレータから構成部品を撤去した既設本体枠１は、既設下部水平部２と、既設上部水平部３と、既設傾斜部４とから構成されている。
【００１５】
新設のエスカレータの本体枠である新設本体枠５は、図２にも示すように、既設本体枠１の収納空間に収納されるため、長手方向および短手方向において既設本体枠１よりも小型にできている。
【００１６】
新設本体枠５は、既設本体枠１と同様に、新設下部水平部６と、新設上部水平部７と、新設傾斜部８とから構成されている。新設本体枠５には、無端状に連結され、乗降口間を循環移動する図示しないステップや、新設本体枠５の長手方向に沿いステップの両側に立設される欄干９や、欄干９の周縁に沿ってステップと同期して移動するハンドレール１０や、ステップやハンドレール１０を駆動する図示しない駆動装置などの各種の構成部品が装着される。なお、新設傾斜部８は、新設本体枠５の新設下部水平部６と新設上部水平部７との間の傾斜部分であり、新設傾斜部８の水平面に対する傾斜角度は、既設本体枠１における既設傾斜部４の傾斜角度と同じとなるように構成されている。
【００１７】
図３は、本実施例における受梁部分の要部拡大図である。既設本体枠１の長手方向端部、すなわち既設下部水平部２端部に設けられる既設受梁２ａは、図３に示すように、建屋梁１１上に高さ調整用の平板１２を介して相対移動可能に載置されている。そして、既設受梁２ａは、掛かり代Ｌ１を有して建屋梁１１に掛けられている。なお、既設本体枠１のもう一方の長手方向端部、すなわち既設上部水平部３端部に設けられる既設受梁３ａも同様の構成で建屋梁１３に掛けられている。但し、既設受梁３ａの方は、固定端とされ、既設受梁２ａとは異なり、相対移動できないように固定されている。
【００１８】
新設本体枠５の長手方向端部、すなわち新設下部水平部６に設けられる新設受梁６ａは、図３に示すように、既設本体枠１の既設受梁２ａより大きい掛かり代Ｌ２を有するものとされ、高さ調整用のジャッキボルト１４、および高さ調整用の平板１５を介して建屋梁１１に相対移動可能に載置されている。なお、新設本体枠５のもう一方の長手方向端部、すなわち新設上部水平部７端部に設けられる新設受梁７ａも同様の構成で建屋梁１３に掛けられている。但し、新設受梁７ａの方は、固定端とされ、既設受梁６ａとは異なり、相対移動できないように固定されている。また、固定端の場合には、新設受梁７ａの掛かり代は、既設受梁３ａの掛かり代と同じ大きさに設定してもよい。
【００１９】
なお、本実施例では、上階側である建屋梁１３側を固定端とし、下階側である建屋梁１１側を自由端としているが、これに限られず、少なくとも一方が自由端であればよい。
【００２０】
また、建屋梁１１に、掛かり代Ｌ２を有する新設受梁６ａを収める設置スペースがない場合、既設受梁２ａの反既設本体枠１側を削り、設置スペースを設けるようにしてもよい。
【００２１】
図４は、本実施例における連結部材の一例である。新設本体枠５と既設本体枠１とは、連結部材１６により連結されており、これによって、既設受梁２ａが建屋梁１１から外れた場合に既設本体枠１の落下を防止する。この連結部材１６は、既設本体枠１の自重が新設本体枠５に掛かったときに破断することのない強度を有するものに設定されている。
【００２２】
さらに、本実施例においては、既設受梁２ａが建屋梁１１に掛けられた状態において、連結部材１６は、新設本体枠５に、例えばボルトや溶接などにより固定されているとともに、既設本体枠１には連結部材１６に設けられた高さ調整部品１７を介して隙間なく当接している。高さ調整部品１７としては、例えばジャッキボルトなどを用いることができる。ここでは、高さ調整部品１７は、既設本体枠１に対して下方から当接する。なお、既設本体枠１と高さ調整部品１７との間は、水平方向に相対変位可能に当接している。これにより、既設本体枠１または新設本体枠５に長手方向への過度の力が加わった場合でも、両者が水平方向に相対変位することにより、既設本体枠１および新設本体枠５が塑性変形してしまうのを防止できる。
【００２３】
図５は、本実施例における連結部材の他の例である。図４との違いは、連結部材１６の形状と固定されている場所のみであり、その他は図４と同様である。
【００２４】
なお、図４および図５では、連結部材１６は、新設本体枠５に固定されているとともに、高さ調整部品１７は、既設本体枠１に対して下方から当接する例を示したが、これに限られず、連結部材１６は、既設本体枠１に固定されているとともに、高さ調整部品１７は、新設本体枠５に対して上方から当接するようにしてもよい。すなわち、既設受梁２ａが建屋梁１１に掛けられた状態において、連結部材１６は、既設本体枠１と新設本体枠５とのうちの一方に固定されているとともに、他方には連結部材１６に設けられた高さ調整部品１７を介して隙間なく当接している構成とすればよい。
【００２５】
以上説明したような本実施例にあっては、例えば地震などで大きな層間変位が発生して建屋梁１１と建屋梁１３との間の間隔が過大になり、新設本体枠５および既設本体枠１と建屋梁１１との間隔が過大になっても、新設受梁６ａの掛かり代Ｌ２は、既設受梁２ａの掛かり代Ｌ１より大きく設定されていることから、既設のものよりも新設本体枠５が落下しにくくなり、既設のものより大きな層間変位に耐えることができる。また、既設受梁２ａのみが建屋梁１１から外れて、新設受梁６ａのみが建屋梁１１に掛かった状態になった場合でも、連結部材１６により既設本体枠１の自重は新設本体枠５で支えられ、既設本体枠１の落下を防止することができる。さらに、新設本体枠５または既設本体枠１と連結部材１６との間は高さ調整部品１７を介して隙間なく当接しているので、隙間をなくすための高さ調整が容易にできるとともに既設受梁２ａが建屋梁１１から外れた場合でも隙間分の落下による衝撃が発生するのを防止することができる。
【００２６】
また、これまでの説明では、乗客コンベアの一例としてエスカレータを用いて説明したが、乗客コンベアの他の例として動く歩道などに適用してもよい。
【００２７】
以上、本発明の実施例を説明してきたが、これまでの実施例で説明した構成はあくまで一例であり、本発明は、技術思想を逸脱しない範囲内で適宜変更が可能である。また、それぞれの実施例で説明した構成は、互いに矛盾しない限り、組み合わせて用いても良い。
【符号の説明】
【００２８】
１  既設本体枠
２  既設下部水平部
２ａ  既設受梁
３  既設上部水平部
３ａ  既設受梁
４  既設傾斜部
５  新設本体枠
６  新設下部水平部
６ａ  新設受梁
７  新設上部水平部
７ａ  新設受梁
８  新設傾斜部
９  欄干
１０  ハンドレール
１１  建屋梁
１２  平板
１３  建屋梁
１４  ジャッキボルト
１５  平板
１６  連結部材
１７  高さ調整部品
Ｌ１  既設受梁の掛かり代
Ｌ２  新設受梁の掛かり代
【図１】
2015182856.tif 000003
【図２】
2015182856.tif 000004
【図３】
2015182856.tif 000005
【図４】
2015182856.tif 000006
【図５】
2015182856.tif 000007